(57)【要約】【課題】  腰部周囲の筋力低下がなく簡単に骨盤のズレ矯正を行うことの出来る骨盤矯正ベルトを提供する。【解決手段】  ベルト本体１を腰部に装着したときのベルト内部の右側又は左側に設けた複数の突起を有する突起板４により大腿骨頭付近を圧迫する。これにより、骨盤のズレが矯正される。また、ベルト本体１を腰部に装着したときのベルト上部の腰椎に対応する箇所に腰椎両側部押圧用の骨盤ズレ判断用押圧部が上下方向に移動自在にされる。ベルト本体１を腰部に装着した状態で正立姿勢から腰部屈曲姿勢に姿勢を変える時に骨盤ズレ判断用押圧部を押圧しておき、そのときの左右の骨盤ズレ判断用押圧部の上下位置変化に基づいて骨盤のズレの方向と程度を判定可能にする。【選択図】  図１
2004329870.tif 000002
【特許請求の範囲】
【請求項１】
全体として弾性を有する布地製からなり、腸骨及び仙骨の全体を覆う大きさで両端部に連結部を備え、腹部に対応する箇所で前記連結部を連結させることで骨盤全体を圧迫して骨盤の位置矯正を行う骨盤矯正ベルトにおいて、
ベルト本体を腰部に装着したときのベルト内部の右側又は左側の大腿骨頭付近に対応する箇所に突起を設けた矯正部と、
ベルト本体を腰部に装着したときのベルト上部の腰椎に対応する箇所の両側に配置した骨盤ズレ判断用ロッド挿入孔と、
前記骨盤ズレ判断用ロッド挿入孔に挿入される２本の骨盤ズレ判断用ロッドと、
前記骨盤ズレ判断用ロッドの各々に沿って上下方向に移動可能であって、腰椎両側部を押圧する腰椎両側部押圧突起、及び、該腰椎両側部押圧突起を前記ロッドの任意の位置で固定可能にするネジ部、を有する骨盤ズレ判断用押圧部と、
を備えてなる骨盤矯正ベルト。
【請求項２】
前記２本の骨盤ズレ判断用ロッドは、前記骨盤ズレ判断用ロッド挿入孔に着脱自在である請求項１記載の骨盤矯正ベルト。
【請求項３】
前記骨盤ズレ判断用押圧部のうち左側の押圧部は左方向に延びる指かけ部を備え、右側の押圧部は右方向に延びる指かけ部を備える請求項１又は２に記載の骨盤矯正ベルト。
【請求項４】
全体として弾性を有する布地製からなり、腸骨及び仙骨の全体を覆う大きさで両端部に連結部を備え、腹部に対応する箇所で前記連結部を連結させることで骨盤全体を圧迫して骨盤の位置矯正を行う骨盤矯正ベルトにおいて、
ベルト本体を腰部に装着したときのベルト内部の右側又は左側の大腿骨頭付近に対応する箇所に突起を設けた矯正部と、
ベルト本体を腰部に装着したときのベルト上部の腰椎に対応する箇所に取り付けられ、腰椎の両側に対応する箇所にそれぞれ上下方向に延びる長孔が形成された骨盤ズレ判断用プレートと、
前記骨盤ズレ判断用プレートに形成されている長孔の各々に沿って上下方向に移動可能であって、腰椎両側部を押圧する腰椎両側部押圧突起、及び、該腰椎両側部押圧突起を前記長孔の任意の位置で固定可能にするネジ部、を有する骨盤ズレ判断用押圧部と、
を備えてなる骨盤矯正ベルト。
【請求項５】
前記骨盤ズレ判断用プレートは、ベルト本体に対して着脱自在である請求項４記載の骨盤矯正ベルト。
【請求項６】
前記矯正部は、複数の突起を上下方向に並べている請求項１〜５のいずれかに記載の骨盤矯正ベルト。
【請求項７】
前記矯正部は、突起をベルト本体に対して上下方向にスライド自在に設けている請求項１〜５のいずれかに記載の骨盤矯正ベルト。
【発明の詳細な説明】
【技術分野】
【０００１】
この発明は、骨盤矯正ベルトに関するものである。
【背景技術】
【０００２】
腰部の圧痛や鈍痛等の原因としては、椎間板ヘルニア等の整形外科的疾病の他に、癌等の内臓疾患、姿勢の悪さ、腹部・背筋の筋力バランスのズレ、骨盤のズレ等が考えられている。そして、腰痛の原因を正確に判断することにより、早期にその原因に対する適切な治療が行え、病状の悪化を抑えることができる。
【０００３】
このうち、骨盤のズレを原因とする腰痛は、骨盤周囲の筋力の低下や骨盤内の靱帯の歪み等が原因とされている。骨盤のズレが生じると、骨盤の上に積み重なっている腰椎、胸椎、頸椎等の多くの脊椎に歪みが生じ、肩こり等の様々な症状も表れてくることになる。通常は、このような症状が表れると、カイロプラクティック施術を試みることになるが、症状の改善に至るまでに比較的長時間を有する。また、骨盤矯正ベルトで腰を締め付けて骨盤の位置矯正を行う方法も提案されている（例えば、特許文献１参照）。
【特許文献１】特開２００１−８７２９５号公報
【発明の開示】
【発明が解決しようとする課題】
【０００４】
しかしながら、従来から使用されてきている骨盤矯正ベルトは、常時、腰部を締め付けて圧迫する方法であるために、腰部周囲の筋力を低下させてしまい、却って症状を悪化させてしまう可能性がある
そこで、本発明の目的は、腰部周囲の筋力低下がなく簡単に骨盤のズレ矯正を行うことの出来る骨盤矯正ベルトを提供することにある。
【課題を解決するための手段】
【０００５】
本発明の骨盤矯正ベルトは、以下の構成である。
【０００６】
（１）全体として弾性を有する布地製からなり、腸骨及び仙骨の全体を覆う大きさで両端部に連結部を備え、腹部に対応する箇所で前記連結部を連結させることで骨盤全体を圧迫して骨盤の位置矯正を行う骨盤矯正ベルトにおいて、
ベルト本体を腰部に装着したときのベルト内部の右側又は左側の大腿骨頭付近に対応する箇所に突起を設けた矯正部と、
ベルト本体を腰部に装着したときのベルト上部の腰椎に対応する箇所の両側に配置した骨盤ズレ判断用ロッド挿入孔と、
前記骨盤ズレ判断用ロッド挿入孔に挿入される２本の骨盤ズレ判断用ロッドと、
前記骨盤ズレ判断用ロッドの各々に沿って上下方向に移動可能であって、腰椎両側部を押圧する腰椎両側部押圧突起、及び、該腰椎両側部押圧突起を前記ロッドの任意の位置で固定可能にするネジ部、を有する骨盤ズレ判断用押圧部と、
を備えてなることを特徴とする。
原因が骨盤のズレと認められる多数の腰痛疾患例を調査した結果、その殆どは、脊椎のズレも生じていることが認められる。脊椎のズレは、正立姿勢において右肩または左肩の下方傾斜を認められるが、個体差によりこのような下方傾斜が認められない場合がある。そこで、正面成立姿勢から腰部屈曲姿勢をとると、その姿勢にて脊椎（特に腰椎）の曲がりが生じる。この曲がりは、正立姿勢において腰椎両側を親指で押圧し、さらに腰部屈曲姿勢になると親指の押圧位置が上下にズレることで観察できる。このとき、右親指の位置が上、左親指の位置が下となれば、骨盤の左側が右側に対して相対的に落下するようなズレ（以下、左下方ズレと称する）が生じており、反対に、左親指の位置が上、右親指の位置が下となれば、骨盤の右側が左側に対して相対的に落下するようなズレ（以下、単に右下方ズレと称する）が生じている。
【０００７】
また、骨盤の上下方向のズレは、骨盤の大腿骨頭部付近を短時間の間強く圧迫する（望ましくは複数回、断続的に）施術を行うことで改善されることがわかった。そこで、上記左下方ズレの場合は、骨盤の左下方に位置する大腿骨頭部付近を短時間の間、指で強く圧迫し、上記右下方ズレの場合は、骨盤の右下方に位置する大腿骨頭部付近を短時間の間、指で強く圧迫するよう施術する。このような施術により、骨盤の上下方向のズレは簡単に改善され、しかも、短時間ですむために、従来の骨盤矯正ベルトを常時装着するときの筋力低下を防ぐことが出来る。
【０００８】
本発明では、上記の骨盤のズレを、骨盤ズレ判断用ロッド挿入孔に２本の骨盤ズレ判断用ロッドを挿入し、さらに、この２本の骨盤ズレ判断用ロッドに骨盤ズレ判断用押圧部を取り付けることにより観察する。すなわち、正立姿勢の状態で、骨盤ズレ判断用ロッド挿入孔に挿入した２本の骨盤ズレ判断用ロッド上で、骨盤ズレ判断用押圧部を両手親指で押圧する。このときの両手親指の押圧位置、すなわち腰椎両側部押圧突起の押圧位置は、腰椎の両側となり、その上下位置は同じ高さである。次に両手親指で押圧したまま、正立姿勢から腰部屈曲姿勢をとったときの親指の上下位置をみる。このとき、骨盤の位置がズレているなら、腰椎も曲がるため、腰椎両側部押圧突起の押圧位置、すなわち親指の上下位置もその曲がりに応じて変化する。この変化を、ネジ部で腰椎両側部押圧突起をロッドに固定することで記憶する。
【０００９】
また、本発明では、ベルト本体のベルト内部の右側又は左側の大腿骨頭付近に対応する箇所に設けた矯正部の突起により、このベルトを短時間装着するだけで、他人による施術がなくても、簡単に大腿骨頭付近を圧迫し、骨盤のズレの矯正を行うことが出来る。
【００１０】
なお、上記矯正部は、左下方ズレ矯正用のベルトには左側に設けられ、右下方ズレ矯正用のベルトには右側に設けられる。また、この矯正部を、公知の取付手段により、左側と右側のいずれかに取付可能にすることも容易である。
【００１１】
（２）全体として弾性を有する布地製からなり、腸骨及び仙骨の全体を覆う大きさで両端部に連結部を備え、腹部に対応する箇所で前記連結部を連結させることで骨盤全体を圧迫して骨盤の位置矯正を行う骨盤矯正ベルトにおいて、
ベルト本体を腰部に装着したときのベルト内部の右側又は左側の大腿骨頭付近に対応する箇所に突起を設けた矯正部と、
ベルト本体を腰部に装着したときのベルト上部の腰椎に対応する箇所に取り付けられ、腰椎の両側にそれぞれ上下方向に延びる長孔が形成された骨盤ズレ判断用プレートと、
前記骨盤ズレ判断用プレートに形成されている長孔の各々に沿って上下方向に移動可能であって、腰椎両側部を押圧する腰椎両側部押圧突起、及び、該腰椎両側部押圧突起を前記長孔の任意の位置で固定可能にするネジ部、を有する骨盤ズレ判断用押圧部と、
を備えてなることを特徴とする。
【００１２】
本発明では、上記の骨盤のズレを、ベルト上部の腰椎に対応する箇所に骨盤ズレ判断用プレートを取り付け、この骨盤ズレ判断用プレートの長孔に骨盤ズレ判断用押圧部を取り付けることにより観察する。すなわち、正立姿勢の状態で、ベルト本体に取り付けた骨盤ズレ判断用プレートの長孔に取り付けた骨盤ズレ判断用押圧部を両手親指で押圧する。このときの両手親指の押圧位置、すなわち腰椎両側部押圧突起の押圧位置は、上記（１）で説明したように腰椎の両側となり、その上下位置は同じ高さである。そして、上記（１）と同様に、両手親指で押圧したまま、正立姿勢から腰部屈曲姿勢をとったときの親指の上下位置を、ネジ部で腰椎両側部押圧突起を骨盤ズレ判断用プレートに固定することで記憶する。
【００１３】
また、本発明でも、上記（１）と同様に、このベルトを短時間装着するだけで、骨盤のズレの矯正を行うことができる。
【００１４】
さらに、上記（１）、（２）の矯正部は、複数の突起を上下方向に並べることにより、いずれかの突起により大腿骨頭付近を確実に押圧でき、骨盤ズレの矯正を適切に行うことができる。また、矯正部は突起を上下方向にスライド自在に設けることにより、ベルト装着者が自分の体格に合わせて、該突起による押圧位置を大腿骨頭付近に調整し、骨盤ズレの矯正を適切に行うことができる。
【発明の効果】
【００１５】
本発明によれば、骨盤のズレの程度を非常に簡単に把握することが出来るとともに、そのズレに応じてベルト本体を一定の時間腰部に取り付けておくことで、ズレの矯正が可能になる。このため、カイロプラクティック術を施す必要もなくなり、自宅で簡単に、しかも短時間に骨盤ズレの矯正を行うことが出来る。
【発明を実施するための最良の形態】
【００１６】
図１は、本発明の実施形態である骨盤矯正ベルトの外観図である。また、図２は、ベルト本体１を腰部に装着したときの状態を示す。
【００１７】
ベルト本体１は、全体として弾性を有する布地製からなり、長尺形状にある。大きさは、腰部を包み込んだ時に腸骨１０及び仙骨１１の全体を覆う程度である。その両端部には、布製ファスナー２、３（所謂、マジックテープ（登録商標））が取り付けられている。ベルト本体を腰部に巻き付けて、腹部においてこの布製ファスナー２、３を貼り合わせることにより両者が連結される。布製ファスナーに代えて、鉤状のホックを用いて、両者を連結させることも可能である。
【００１８】
ベルト内部の右側又は左側の大腿骨頭付近１２に対応する箇所には、複数（図では３個）の突起を備える突起板４が取り付けられている。複数の突起は、図示するように上下方向に並んでいる。図に示す例では、ベルト装着者からみて左側に複数の突起板４が取り付けられている。後述の様に、左側に突起板４を取り付けることにより、骨盤の左側が右側に対して相対的に落下するようなズレ（以下、左下方ズレと称する）が生じている場合の矯正を行うのに有効となる。反対に、ベルト装着者からみて右側に突起板４を取り付けることにより、骨盤の右側が左側に対して相対的に落下するようなズレ（以下、右下方ズレと称する）が生じている場合の矯正を行うのに有効となる。本実施形態では、左側と右側のどちらかに突起板４を取り付けることが出来る様に、ベルト内部の両方の取付位置に布製ファスナー５を形成し、且つ、突起板４の裏面に同ファスナー５と係合する布製ファスナーを形成している。
【００１９】
また、ベルト本体１を腰部に装着したときのベルト上部の腰椎に対応する箇所の両側に骨盤ズレ判断用ロッド挿入孔６を設け、この挿入孔６に対して２本の骨盤ズレ判断用ロッド７が挿入可能となっている。
【００２０】
図３は、骨盤ズレ判断用ロッド挿入孔６周辺の構造を示している。図４は、骨盤ズレ判断用押圧部の構造図である。
【００２１】
骨盤ズレ判断用ロッド挿入孔６には、骨盤ズレ判断用ロッド７が挿入可能であって、この骨盤ズレ判断用ロッド７には、同ロッドに沿って、上下方向に移動可能な骨盤ズレ判断用押圧部８が取り付けられている。骨盤ズレ判断用ロッド７は、２本のロッドを連結したものであり、各上下に延びるロッドの間隔は、腰椎９の左右幅よりも少し長い距離に設定されている。この骨盤ズレ判断用押圧部８は、断面が中空を有する矩形形状の押圧部本体８０と、この押圧部本体８０の底部に取り付けられた腰椎両側部押圧突起８１と、押圧部本体８０の上部に取り付けられたネジ部８２と、押圧部本体８０の外側に延びる指かけ部８３とを備えている。
【００２２】
前記押圧部本体８０は、その中空部に前記骨盤ズレ判断用ロッド７が貫通し、このロッド７に沿って押圧部本体８０が上下方向にスライド案内されるようになっている。また、ネジ部８２は、押圧部本体８０の上面に係合し、ネジ部８２を回すことでその底部が押圧部本体８０の中空部に入出するようになっている。このネジ部８２の頭部は上記腰椎両側部押圧突起８１に対向する位置関係とされ、ネジ部８２の頭部を押圧するとその力がそのまま腰椎両側部押圧突起８１に加わる。押圧部本体８０の外側に延びる指かけ部８３は、左側の押圧部本体においては左側に延び、右側の押圧部本体においては右側に延びている。押圧時には、この指かけ部８３に人指し指の第１関節と第２関節の間の指表面を押し当ててネジ部８２の頭部を親指で押圧する。これにより、ネジ部８２に対向して配置されている腰椎両側部押圧突起８１に対して、親指からの力を分散させることなくそのまま加えることができるとともに、指かけ部８３に人指し指の第１関節と第２関節の間の指表面を押し当てるために、大きな力を簡単に加えることができる。
【００２３】
次に、上記の構造からなる骨盤矯正ベルトの作用について説明する。
【００２４】
上述のように、骨盤のズレがある場合には、脊椎のズレも生じていることが認められるから、正面成立姿勢から腰部屈曲姿勢をとると、その姿勢にて脊椎（特に腰椎）の曲がりが生じる。この曲がりは、正立姿勢において腰椎両側を親指で押圧し、さらに腰部屈曲姿勢になると親指の押圧位置が上下にズレることで観察できる。このとき、右親指の位置が上、左親指の位置が下となれば、骨盤の左側が右側に対して相対的に落下するようなズレ（左下方ズレ）が生じており、反対に、左親指の位置が上、右親指の位置が下となれば、骨盤の右側が左側に対して相対的に落下するようなズレ（右下方ズレ）が生じている。
【００２５】
そこで、本実施形態では、ベルト本体１を腰部に装着し、このベルト本体１の骨盤ズレ判断用ロッド挿入孔６に挿入されている骨盤ズレ判断用ロッド７により上記左下方ズレ又は右下方ズレの有無を判断する。骨盤ズレ判断用ロッド７を骨盤ズレ判断用ロッド挿入孔６に挿入してから装着してもよいし、装着後に骨盤ズレ判断用ロッド７を骨盤ズレ判断用ロッド挿入孔６に挿入してもよい。
【００２６】
腰部に装着したベルト本体１の骨盤ズレ判断用ロッド挿入孔６に挿入されている骨盤ズレ判断用ロッド７には、骨盤ズレ判断用押圧部８が取り付けられている。また、骨盤ズレ判断用押圧部８は骨盤ズレ判断用ロッド７に沿ってスライドするように、ネジ部８２を緩めている。この状態で、図５左側に示すように正立姿勢を取って、観察者が左右の指かけ部８３に両人指し指の第１関節と第２関節の間の指表面を押し当てながら、左右のネジ部８２を両手親指で押圧する。なお、骨盤ズレ判断用ロッド７の上下に延びるロッドの間隔は、腰椎９の左右幅よりも少し長い距離に設定されているため、左右のネジ部８２を両手親指で押圧すると、同ネジ部に対向している腰椎両側部押圧突起８１は、腰椎の両側の筋、靱帯を押圧する。
【００２７】
次に、図５右側に示すように腰部屈曲姿勢を取ると、骨盤ズレがあるときには、脊椎の曲がりが生じてくるために腰椎９が曲がり、これにより、腰椎９の周囲の筋部や靱帯が伸縮し、その伸縮に応じて、両手親指で押圧していた左右のネジ部８２の位置が上下にズレてくる。この状態でネジ部８２を締め付けると骨盤ズレ判断用ロッド７に対して骨盤ズレ判断用押圧部８が固定される。この後、両手親指による押圧を解除し、骨盤ズレ判断用ロッド７を骨盤ズレ判断用ロッド挿入孔６から取り外す（ベルト本体１から取り外す。）。このとき、骨盤ズレ判断用押圧部８が骨盤ズレ判断用ロッド７に固定されているため、骨盤ズレに基づく骨盤ズレ判断用押圧部８の上下方向のズレ、すなわち骨盤のズレが記憶されていることになる。
【００２８】
次に、上記骨盤ズレ判断用押圧部８の上下方向のズレに対応して、ベルト内部の右側と左側のどちら側に突起板４を取り付けるかを決める。もし、左側の骨盤ズレ判断用押圧部８が右側の骨盤ズレ判断用押圧部８よりも上側に位置しているなら（図５右側のように）、骨盤の右側が下方に傾斜している右下方ズレの状態であるため、ベルト装着者からみて右側に突起板４を取り付ける。取付は、ベルト本体内部に形成されている布製ファスナー部５に突起板４の裏側に形成されている布製ファスナーを貼り付けて固定することにより行う。また、右側の骨盤ズレ判断用押圧部８が左側の骨盤ズレ判断用押圧部８よりも上側に位置しているなら、骨盤の左側が下方に傾斜している左下方ズレの状態であるため、ベルト装着者からみて左側に突起板４を取り付ける。この突起板４を取り付けた後、ベルト本体１を腰部に巻き付けて一定の時間だけ固定する。この固定により、突起板４の複数の突起が対向する位置にある大腿骨頭付近を圧迫する。また、突起板４は、複数の突起を上下方向に並べて形成しているので、いずれかの突起により大腿骨頭付近を確実に押圧できる。言い換えれば、ベルト装着者が一般的な体系であれば、大腿骨頭付近を確実に押圧できる。この圧迫により、大腿骨頭付近を指で押圧するのと同様の効果を得ることができる。上記一定の時間は、通常は数１０分程度であり、従来の骨盤矯正ベルトの仕様のように連続的に長期の期間取り付けなくてない。このため、長期の使用による腰部全体の筋力低下を起こすことがない。
【００２９】
一般には、数１０分程度の圧迫を数回行うことで、骨盤ズレの矯正が可能である。なお、骨盤ズレ判断用押圧部８の上下方向のズレの程度は、骨盤のズレの程度にほぼ比例するから、骨盤ズレ判断用押圧部８の上下方向のズレが大きい場合は、数１０分程度の圧迫回数を少し増やすことが必要になる。
【００３０】
骨盤ズレの矯正ができたか否かを判断するには、ベルト本体を再び腰部に巻き付けて、図５に示すテストを行う。すなわち、正立姿勢から腰部屈曲姿勢に変化させて、骨盤ズレ判断用押圧部８の位置の変化をみる。この変化が先に記憶しておいた変化よりも小さければ、骨盤ズレが改善されている。また、正立姿勢から腰部屈曲姿勢に変化したときの骨盤ズレ判断用押圧部８の位置変化が殆どなくなると、骨盤ズレは矯正されたと判断することが出来る。
【００３１】
このように、図５に示すテストを行うことで、骨盤ズレの状態を骨盤ズレ判断用押圧部８の固定位置で記憶しておくことが出来、且つ、突起板４で大腿骨頭付近を圧迫することで他人による施術を受けなくても容易に骨盤ズレを改善することが可能である。
【００３２】
また、上記実施形態では、突起板４は複数の突起を上下方向に並べたものであるとしたが、１つの突起を上下方向にスライド自在に設けた構成であってもよい。具体的には、図６に示すようにベルト内部の右側および左側の大腿骨頭付近１２に対応する箇所（上記実施形態における突起板４の取り付け箇所）に、上下方向に延びる長孔４ａを形成しておく。ここでは、左下方ズレ、右下方ズレ、両方の矯正が行えるように、ベルト内部の右側および左側の両方に長孔４ａを形成した例を示しているが、ベルト内部の右側又は左側の一方のみ長孔４ａを形成してもよい。この場合には、左下方ズレ又は右下方ズレの一方の矯正が行える。長孔４ａの周囲には図７に示す突起板４が取り付けられるように布製ファスナー５を形成している。突起板４は、ベルト本体１に形成されている長孔４ａと略同じ形状の長孔４ｂを形成したプレートであり、その裏面の長孔４ｂの周囲にベルト本体１に形成されている布製ファスナー５に係合する布製ファスナー（不図示）を形成している。突起板４は、長孔４ｂがベルト本体の長孔４ａに重なるようにベルト本体１に取り付ける。
【００３３】
なお、左下方ズレを矯正する場合、ベルト装着者からみて左側に突起板４を取り付け、右下方ズレを矯正する場合、ベルト装着者からみて右側に突起板４を取り付ける。
【００３４】
さらに、ベルト装着者の大腿骨頭付近１２を押圧する突起４１を取り付ける。この突起４１は、図８（Ａ）に示すように、半球状のネジ頭に、雄ネジを形成したものである。突起４１は、図８（Ｂ）に示す固定具４２により、長孔４ａ、４ｂの任意の位置に固定される。固定具４２は、突起４１に形成されている雄ネジに螺合する雌ネジが形成されている。突起４１は、図８（Ｃ）に示すように、雄ネジを長孔４ａ、４ｂに挿入し、ベルト本体１の裏側において、突出している突起４１の雄ネジに固定具４２を螺合させて取り付ける。そして、ベルト本体を装着した状態で、固定具４２を緩め、突起４１を長孔４ａ、４ｂに沿ってスライドさせて、突起４１の半球状のネジ頭が押圧する位置を大腿骨頭付近に調整し、調整後に固定具４２を締めて突起４１を固定する。
【００３５】
したがって、ベルト装着者が自分の体系に合わせて、突起４１の半球状のネジ頭が大腿骨頭付近を押圧するように調整でき、骨盤ズレの矯正を適切に行うことができる。
【００３６】
なお、突起板４は、ベルト本体に縫い付けておいてもよい。この場合、突起板４をベルト本体１に取り付けるための布製ファスナー５を不要にできる。また、突起板４をなくし、ベルト本体１に形成した長孔４ａに突起４１と固定具４２を取り付けるようにしてもよい。
【００３７】
また、上記実施形態では、骨盤ズレ判断用ロッド７に骨盤ズレ判断用押圧部８を取り付けて、骨盤のズレを判断するとしたが、骨盤ズレ判断用ロッド７、および骨盤ズレ判断用押圧部８に替えて以下に示す骨盤ズレ判断用プレート７１を用いて骨盤のズレを判断するようにしてもよい。
【００３８】
図９は、骨盤ズレ判断用プレートを示す図であり、図９（Ａ）は骨盤ズレ判断用プレートの正面図、図９（Ｂ）は骨盤ズレ判断用プレートの側面断面図である。この骨盤ズレ判断用プレート７１には、図示するように上下方向に延びる長孔７２が２つ形成されている。２つの長孔７２の間隔は、腰椎９の左右幅よりも少し長い距離に設定されている。また、長孔７２の間に、上下方向の位置を示す目盛り線が形成されている。各長孔７２には、半球状のネジ頭に雄ネジを形成した腰椎両側部押圧突起７３（図１０（Ａ）参照）が、この腰椎両側部押圧突起７３の雄ネジに螺合する雌ネジを形成した固定具７４（図１０（Ｂ）参照）により取り付けられる。図１０（Ａ）は腰椎両側部押圧突起７３の側面図であり、図１０（Ｂ）は固定具７４の側面断面図であり、図１０（Ｃ）は固定具７４の低面図である。
【００３９】
腰椎両側部押圧突起７３は、図９（Ｂ）に示すように、雄ネジ部分を骨盤ズレ判断用プレート７１の長孔７２に挿入し、この腰椎両側部押圧突起７３の裏面側に突出した雄ネジに固定具７４を螺合させて取り付ける。固定具７４を緩めることにより、腰椎両側部押圧突起７３が長孔７２に沿ってスライド自在となる。反対に、固定具７４を締めることにより、腰椎両側部押圧突起７３が長孔７２の任意の位置に固定できる。また、骨盤ズレ判断用プレート７１の下端部には、ベルト本体１に取り付けるための布製ファスナー７５が形成されている。
【００４０】
一方、ベルト本体１は、図１１に示すように、上記実施形態のものと略同じであるが、骨盤ズレ判断用ロッド挿入孔６が形成されていない。また、腰部に装着したときのベルト上部の腰椎に対応する箇所（上記実施形態で骨盤ズレ判断用ロッド挿入孔６が形成されている箇所）で、ベルトの外側（装着者の肌に当接しない側）に骨盤ズレ判断用プレート７１を取り付けるための布製ファスナー６１が形成されている。骨盤ズレ判断用プレート７１は、図１１に示すように、布製ファスナー７５を布製ファスナー６１に貼り合わせることにより、ベルト本体に取り付けることができる。
【００４１】
なお、図１１では図８に示した突起板４、突起４１、および固定具４２を取り付けるベルトを示しているが、図１に示した突起板４が取り付けられる構成のベルトであってもよい。
【００４２】
また、固定具７４は、ベルト装着者が押圧しやすいように、底面を半球状の凹部７４ａを形成し（図１０（Ｂ）参照）、さらに緩めたり、締めたりしやすいように、側面に半球状の凸部７４ｂを複数（図では６個）形成している（図１０（Ｃ）参照）。
【００４３】
この実施形態の骨盤矯正ベルトにより、骨盤の左下方ズレ、又は右下方ズレの有無を判断するとき、ベルト本体１を腰部に装着し、骨盤ズレ判断用プレート７１の長孔７２ａ、７２ｂに取り付けた腰椎両側部押圧突起７３に対して、固定具７４を緩めておく。この状態で図１２左側に示すように正立姿勢をとって、左右の固定具７４を両手の親指で押圧する。これにより、腰椎両側部押圧突起７３が、腰椎の両側の筋、靱帯を押圧する。また、固定具７４の底面には半球状の凹部７４ａが形成されているので、この凹部７４に親指の腹を押しつけることにより、親指からの力を分散させることなくそのまま加えることができる。この状態で、図１２右側に示すように腰部屈曲姿勢を取ると、骨盤ズレがあるときには、脊椎の曲がりが生じてくるために腰椎９が曲がり、これにより、腰椎９の周囲の筋部や靱帯が伸縮し、その伸縮に応じて、両手親指で押圧していた左右の固定具７４（腰椎両側部押圧突起７３）の位置が上下にずれてくる。この状態で左右の固定具７４をそれぞれ締めつけ、骨盤ズレ判断用プレート７１に対して腰椎両側部押圧突起７３を固定する。
【００４４】
この後、両手親指による押圧を解除し、ベルト本体から骨盤ズレ判断用プレート７１を取り外す。このとき、腰椎両側部押圧突起７３が骨盤ズレ判断用プレート７１に固定されているため、骨盤ズレに基づく腰椎両側部押圧突起７３の上下方向のズレ、すなわち骨盤のズレが記憶されていることになる。したがって、この骨盤ズレ判断用プレート７１に固定されている２つの腰椎両側部押圧突起７３の上下方向のズレを確認することにより、骨盤の左下方ズレ、又は右下方ズレの有無を判断できる。骨盤ズレ判断用プレート７１に目盛り線を形成しているので、骨盤の左下方ズレ、又は右下方ズレの度合いを定量的に判断できる。そして、骨盤の左下方ズレ、又は右下方ズレが確認されたときには、上述したようにベルト本体に突起板４、突起４１、および固定具４２を取り付けて、骨盤ズレの矯正を行えばよい。
【００４５】
また、上記骨盤ズレ判断用プレート７１を複数枚用意しておき、ベルト本体に突起板４、突起４１、および固定具４２を取り付けて、骨盤ズレの矯正を行った後に、別の骨盤ズレ判断用プレート７１を用いて上述した骨盤の左下方ズレ、又は右下方ズレの有無を再度判断し、骨盤ズレの矯正を行う前の骨盤ズレ判断用プレート７１に固定されている２つの腰椎両側部押圧突起７３の上下方向のズレ量に対して、骨盤ズレの矯正後の骨盤ズレ判断用プレート７１に固定されている２つの腰椎両側部押圧突起７３の上下方向のズレ量がどの程度小さくなっているかを確認することにより、今回の矯正により骨盤ズレがどの程度改善されたかを判断できる。
【図面の簡単な説明】
【００４６】
【図１】本発明の実施形態である骨盤矯正ベルトの外観図
【図２】ベルト本体１を腰部に装着したときの状態を示す図
【図３】骨盤ズレ判断用ロッド挿入孔６周辺の構造図
【図４】骨盤ズレ判断用押圧部の構造図
【図５】正立姿勢から腰部屈曲姿勢に移ることで骨盤のズレを知るための方法を示す図
【図６】本発明の別の実施形態である骨盤矯正ベルトの外観図
【図７】別の実施形態にかかる突起板を示す図
【図８】別の実施形態である骨盤矯正ベルトの突起板に取り付けられる突起を示す図
【図９】別の実施形態である骨盤矯正ベルトに取り付けられる骨盤ズレ判断用プレートを示す図
【図１０】骨盤ズレ判断用プレートに取り付けられる腰椎両側部押圧突起を示す図
【図１１】別の実施形態である骨盤矯正ベルトに骨盤ズレ判断用プレートを取り付けた状態を示す図
【図１２】正立姿勢から腰部屈曲姿勢に移ることで骨盤のズレを知るための方法を示す図
【符号の説明】
【００４７】
１−ベルト本体
４−突起板
４１−突起
４２−固定具
６−骨盤ズレ判断用ロッド挿入孔
７−骨盤ズレ判断用ロッド
７１−骨盤ズレ判断用プレート
７３−腰椎両側部押圧突起
７４−固定具
８−骨盤ズレ判断用押圧部
８１−腰椎両側部押圧突起
８２−ネジ部
８３−指かけ部
【図１】
2004329870.tif 000003
【図２】
2004329870.tif 000004
【図３】
2004329870.tif 000005
【図４】
2004329870.tif 000006
【図５】
2004329870.tif 000007
【図６】
2004329870.tif 000008
【図７】
2004329870.tif 000009
【図８】
2004329870.tif 000010
【図９】
2004329870.tif 000011
【図１０】
2004329870.tif 000012
【図１１】
2004329870.tif 000013
【図１２】
2004329870.tif 000014